(57)【要約】      （修正有）【課題】伝言があることを斬新な立体的なデザインにより容易に認識することができ、かつ、伝言の内容を第三者から視認しづらくした伝言メモを提供する。【解決手段】用紙を二つ折りして用いる伝言メモであって、二つ折りにした状態で、表表紙面、及び表表紙面の裏側である第一内面１１０を備えた第一用紙部１０１と、裏表紙面、及び裏表紙面の裏側である第二内面１２０を備えた第二用紙部１０２とからなり、第二用紙部１０２の所定領域に折り曲げ可能に切り込みを施した突設部６０を備えると共に、第一用紙部１０１における突設部６０に対応する位置に切欠き７０を備え、突設部６０を折り曲げて切欠き７０に差し込み、第一用紙部１０１と第二用紙部１０２とを二つ折りにすることによって、突設部６０が切欠き７０と係合して起立するようにした。【選択図】図３
0003190527.tif 000002
【実用新案登録請求の範囲】
【請求項１】
用紙を二つ折りして用いる伝言メモであって、
二つ折りにした状態で、表表紙面、及び前記表表紙面の裏側である第一の内面を備えた第一の用紙部と、裏表紙面、及び前記裏表紙面の裏側である第二の内面を備えた第二の用紙部とからなり、
前記第二の用紙部の所定領域に折り曲げ可能に切り込みを施した突設部を備えると共に、前記第一の用紙部における前記突設部に対応する位置に切欠きを備え、
前記突設部を折り曲げて前記切欠きに差し込み、前記第一の用紙部と前記第二の用紙部とを二つ折りにすることによって、前記突設部が前記切欠きと係合して起立する
ことを特徴とする伝言メモ。
【請求項２】
前記突設部は、前記切り込みが施されることによって形成される前記所定領域又は前記所定領域とこれに延設された領域からなる
ことを特徴とする請求項１記載の伝言メモ。
【請求項３】
前記突設部を折り曲げる際に基準となる折線を備えるとともに、前記折線に対応する位置に前記切欠きを備える
ことを特徴とする請求項１又は２記載の伝言メモ。
【請求項４】
前記切欠きは、少なくとも前記折線の長さを有する
ことを特徴とする請求項３記載の伝言メモ。
【請求項５】
前記突設部は、前記二つ折りにした状態で、前記表表紙面上に起立する
ことを特徴とする請求項１〜４のいずれか一項記載の伝言メモ。
【請求項６】
前記突設部に、所定の対象物を刺す道具の図柄を施し、前記表表紙面の前記切欠きの周辺に、前記道具によって刺される前記対象物の図柄を施した
ことを特徴とする請求項１〜５のいずれか一項記載の伝言メモ。
【請求項７】
前記突設部に、前記道具として、ナイフ、フォーク、斧、又は刀の図柄を施し、前記表表紙面の前記切欠きの周辺に、前記道具に対応した前記対象物として、それぞれ紙、食品、木、又は畳の図柄を施した
ことを特徴とする請求項６記載の伝言メモ。
【請求項８】
前記表表紙面に宛先欄を設けるとともに、前記第一の内面及び／又は前記第二の内面に、伝言欄を設けた
ことを特徴とする請求項１〜７のいずれか一項記載の伝言メモ。
【請求項９】
前記突設部及び前記切欠きを二組以上備えた
ことを特徴とする請求項１〜８のいずれか一項記載の伝言メモ。
【考案の詳細な説明】
【技術分野】
【０００１】
本考案は、伝言があることを視覚に訴えつつ、伝言の内容を第三者から視認しづらくした伝言メモに関する。
【背景技術】
【０００２】
従来から情報を相手に伝える手段として伝言メモが用いられている。
この種のメモについては、様々なものが提案されており、例えば、特許文献１に記載の立体カードや、特許文献２に記載の折り畳みメモ用紙を挙げることができる。
【０００３】
特許文献１には、表示部と絵柄部の分かれ目に切り込み線を入れることで、ワンタッチで絵柄部の立体形成が可能な立体カードが記載されている。
特許文献１に記載の立体カードによれば、絵柄がポップアップされる視覚効果により、例えば、デスク上に、他のメモやノート等とともに置かれていたとしても、伝言があることを気づき易いといったメリットを有する。
特許文献２には、縁辺に平行な２本の折線を用紙に施し、折線に沿って三つ折りする折り畳みメモ用紙であって、折り畳む際に用紙の一端を、他端の切り込みに差し込んで使用するものが記載されている。
特許文献２に記載のメモ用紙によれば、伝言欄を三つ折りして隠しつつ封止することができるため、伝言の内容を容易に見られなくすることができる。
【０００４】
【特許文献１】特開２００６−３２６９２１号公報
【特許文献２】実用新案登録第３０９４９５１号公報
【考案の開示】
【考案が解決しようとする課題】
【０００５】
ところが、前述した特許文献に係る技術においては、以下の問題があった。
すなわち、特許文献１に記載の立体カードに係る効果と、特許文献２に記載のメモ用紙に係る効果を、共に有する伝言メモは存在しなかった。
具体的には、伝言メモにおいては、伝言の存在を立体的な表示により視覚を通じて認識し易くすることが求められる一方で、伝言の内容については、第三者から視認しづらくすることが望ましい場合があるところ、視覚効果が異なるこれらの要求を共に満たす技術はこれまで存在しなかった。
【０００６】
また、特許文献２に係るメモ用紙は、折り畳んだ用紙の一端を他端の切り込みに差し込むだけの簡易な封止構造であり、簡単に開くことができるため、仮に、特許文献１に係る立体カードに、このような封止構造を取り入れたとしても、悪意ある第三者が、封止を解いて伝言の内容を取得することは容易と考えられる。
また、視覚効果の観点から、より斬新でインパクトのある立体的なデザインを有する伝言メモの提供が求められていた。
【０００７】
本考案は、上記の事情に鑑みてなされたものであり、伝言があることを斬新な立体的なデザインにより容易に認識することができ、かつ、伝言の内容を第三者から視認しづらくした伝言メモの提供を目的とする。
【課題を解決するための手段】
【０００８】
上記目的を達成するため、本考案の伝言メモは、用紙を二つ折りして用いる伝言メモであって、二つ折りにした状態で、表表紙面、及び表表紙面の裏側である第一の内面を備えた第一の用紙部と、裏表紙面、及び裏表紙面の裏側である第二の内面を備えた第二の用紙部とからなり、第二の用紙部の所定領域に折り曲げ可能に切り込みを施した突設部を備えると共に、第一の用紙部における突設部に対応する位置に切欠きを備え、突設部を折り曲げて切欠きに差し込み、第一の用紙部と第二の用紙部とを二つ折りにすることによって、突設部が切欠きと係合して起立するようにしてある。
【考案の効果】
【０００９】
本考案によれば、伝言の存在を視覚を通じて容易に認識することができ、伝言の内容は第三者から視認しづらい伝言メモを提供することができる。
【図面の簡単な説明】
【００１０】
【図１】本考案の一実施形態に係る伝言メモの表紙面を示す図である。
【図２】本考案の一実施形態に係る伝言メモの内側面を示す図である。
【図３】本考案の一実施形態に係る伝言メモを使用する際の手順を説明するための図である。
【図４】本考案の一実施形態に係る伝言メモを組み立てたときの状態を示す図である。
【図５】本考案の一実施形態に係る伝言メモにおいて、突設部の図柄に対応した図柄が切欠きの周辺に施された様子を示す図である。
【図６】本考案の他の実施形態に係る伝言メモの表紙面を示す図である。
【図７】本考案の他の実施形態に係る伝言メモの内側面を示す図である。
【図８】本考案の他の実施形態に係る伝言メモを組み立てたときの状態を示す図である。
【考案を実施するための形態】
【００１１】
以下、本考案の伝言メモの実施形態について図面を参照して説明する。
【００１２】
図１は、本実施形態に係る伝言メモの表紙面を示す図であり、図２は、伝言メモの内側面を示す図である。
本考案の一実施形態の伝言メモ１は、図１又は図２に示すように、横長矩形状の用紙が、二つ折りの基準となる中央折線３０を介して第一用紙部１０１と第二用紙部１０２とに分かれて構成される。
伝言メモ１は、この用紙を、中央折線３０に沿って折り曲げることにより、第一用紙部１０１と第二用紙部１０２が互いに重なるように二つ折りにして使用する。
なお、伝言メモ１に用いる用紙は、縦長矩形状であってもよく、横向きの中央折線３０に沿って折り曲げる構成にしてもよい。
このように二つ折りにした伝言メモ１において、外部から視認可能な表紙面に宛先を記入し、表紙面の裏側であって、外部から視認不能な内側面に伝言を記入する。
【００１３】
表紙面は、図１に示すように、第一用紙部１０１における表表紙面１０と第二用紙部１０２における裏表紙面２０とからなる。
内側面は、図２に示すように、第一用紙部１０１における第一内面１１０と第二用紙部１０２における第二内面１２０とからなる。
すなわち、第一用紙部１０１は、表表紙面１０とその裏側である第一内面１１０を備え、第二用紙部１０２は、裏表紙面２０とその裏側である第二内面１２０を備える。
【００１４】
図１に示すように、第一用紙部１０１の表表紙面１０には、伝言メモ１を渡す相手の氏名等（宛先）を記入する宛先欄４０を設けるようにしてある。
また、図２に示すように、第一用紙部１０１の内側面（第一内面１１０）、及び、第二用紙部１０２の内側面（第二内面１２０）には、それぞれ伝言欄（第一伝言欄１３０及び第二伝言欄１４０）を設けるようにしてある。
このため、内側面を開かずとも、表表紙面１０を見るだけで宛先をすぐに認識することができるが、伝言内容については、内側面を開かなければ見ることができないようになっている。
【００１５】
本実施形態の伝言メモ１は、このような二つ折りの構成に加え、第二用紙部１０２には、所定領域を折り曲げ可能に切り込み８０を施した突設部６０を備えると共に、第一用紙部１０１における突設部６０に対応する位置に切欠き７０を備える。
突設部６０を折り曲げ、切欠き７０に差し込みながら、二つ折りにすることによって、突設部６０が切欠き７０と係合して起立するようになっている。
以下、突設部６０及び切欠き７０の特徴的な形状及び構造について詳細に説明する。
【００１６】
図３は、本実施形態に係る伝言メモを使用する際の手順を説明するための図である。
図４は、本実施形態に係る伝言メモを組み立てたときの状態を示す図である。
図５は、本実施形態に係る伝言メモにおいて、突設部の図柄に対応した図柄が切欠きの周辺に施された様子を示す図である。
【００１７】
突設部６０は、第二用紙部１０２の所定領域に切り込み８０を施すことで折り曲げ可能に形成される。
すなわち、図１〜図２に示すように、ナイフの図柄が描かれた突設部６０について、折線９０以外の周縁に切り込み８０を施すことによって、折線９０の辺だけが第二用紙部１０２とつながるようにしてある。
このため、図３に示すように、折線９０に沿って突設部６０を折り曲げ、起立させることができるようになっている。
本実施形態のように、突設部６０にナイフの図柄を施した場合、刃の部分に設けた折線９０に沿って突設部６０を折り曲げることで、ナイフの刃の部分が、下方に刺さっているような立体的な視覚効果を与えることができる（図４参照）。
【００１８】
切欠き７０は、第一用紙部１０１において、突設部６０（具体的には、折線９０）の位置に対応して施されたスリット状の孔であり、少なくとも折線９０の長さを有する。
具体的には、図１又は図２に示すように、用紙全体を開いた状態において、折線９０と切欠き７０が中央折線３０を対称軸として線対称に施すようにすることで、閉じた状態において、これらが重なるようにしてある。
「少なくとも折線９０の長さを有する」こととしたのは、伝言メモ１を二つ折りにしたときに、切欠き７０に差し込んだ突設部６０を折線９０の部分で係合させる必要があり、また、突設部６０の様々な形状に対応できるようにするためである。
したがって、切欠き７０の長さは、折線９０の長さ以上の任意の大きさに設定することができる。
切欠き７０の長さは、短いほど突設部６０を抜き差ししにくく、長いほど突設部６０を抜き差しし易い。このため、第三者からの視認のしづらさと利用者の利便性のバランスを考慮して適切な長さに設定することが好ましい。
【００１９】
このような突設部６０と切欠き７０を備えた伝言メモ１の構成によれば、伝言メモ１を中央折線３０に沿って二つ折りを行うに当たり、突設部６０を折り曲げて切欠き７０に差し込むことによって、二つ折りされた状態で、突設部６０が切欠き７０に係合して封止される。
このため、伝言欄に記載された伝言の内容を見る場合、単に伝言メモ１を開くだけでなく、突設部６０を切欠き７０から外しながら行う手間が必要となる。
したがって、第三者が容易に伝言内容を視認できないようになっている。
【００２０】
また、突設部６０は、二つ折りにした状態で、表表紙面１０上に起立するようになっている。
突設部６０は、第二用紙部１０２の所定領域を折り曲げて起立させており、裏表紙面２０の領域部分は用紙が欠けて不自然に見えるところ、表表紙面１０を重ねることで、裏表紙面２０が隠され、突設部６０が表表紙面１０上に自立している印象を与えることができる。
このため、このような突設部６０による立体的な視覚効果によって、伝言メモ１の存在を効果的に知らせることができる。
例えば、図４に示すように、伝言メモ１を二つ折りにして組み立てることにより、ナイフの図柄が描かれた突設部６０が表表紙面１０上に起立することから、このような伝言メモ１をデスク上に置くことによってナイフがデスクに突き刺さっている印象を与えることができる。
また、図５に示すように、表表紙面１０の切欠き７０の周辺にステーキの図柄を施すことで、突設部６０に描かれたナイフによりステーキがカットされている印象を与えることができる。
【００２１】
これ以外にも、突設部６０の領域に、サバイバルナイフ、フォーク、斧、刀など、所定の対象物を刺す道具の図柄を施すことによって、これらの道具が表表紙面１０に刺さった印象を与えることができる。
また、これらの道具に対応して、紙、食品、木、畳などの図柄を施すことで、道具が、表表紙面１０に描かれた対象物に刺さっている印象を与えることができる。
したがって、より斬新で、インパクトのある立体的なデザインによって、伝言メモ１の存在を視覚に訴えることができる。
【００２２】
また、突設部６０は、切り込み８０が施されることによって形成される所定領域又は当該所定領域とこれに延設された領域からなるようにしてある。
本実施形態においては、第二用紙部１０２内における「所定領域」に相当するナイフの刃の部分と、第二用紙部１０２外における「所定領域に縁設された領域」に相当するナイフの柄の部分とが、一体として形成されることで、ナイフ全体の図柄をなすようにしてある。
このように、「所定領域と所定領域に延設された領域」により突設部６０を第二用紙部１０２の範囲をはみ出して形成することによって、突設部６０を起立させたときの表表紙面１０からの高さをより高くすることができる。
このため、切欠き７０に差し込んで係合した突設部６０が、さらに外しにくくなり、伝言内容を視認しづらくすることができる。
なお、突設部６０を、第二用紙部１０２内の「所定領域」だけで形成する例については、後記「他の実施形態」にて説明する。
【００２３】
さらに、突設部６０は、二つ折りにした状態で、表表紙面１０上に斜め方向に起立するようにしてある。
本実施形態においては、ナイフの図柄を第二用紙部１０２の裏表紙面２０及び第二内面１２０の上方に施し、折線９０を中央折線３０に対し斜め方向に設けることによって、ナイフの図柄を折線９０に沿って折り曲げたときに、傾斜して起立するようにしてある。
これ以外にも、例えば、長尺形状の図柄を、第二用紙部１０２の下方に施しつつ折線９０を中央折線３０に対し斜め方向に設ける等、種々の形状・構造を用いて、突設部６０を斜め方向に起立させることができる。
【００２４】
このようにすると、突設部６０が切欠き７０に係合して起立した状態において、突設部６０の開放端（具体的には、ナイフの柄の先端部分）が、切欠き７０の範囲から外側にはみ出るため、突設部６０又は第一用紙部１０１を弛ませなければ突設部６０を切欠き７０から外すことができない。
また、突設部６０の形状が長尺の場合は、これと相まって、突設部６０をさらに外しづらくすることができる。
さらに、視覚効果において、例えば、突設部６０の領域にナイフ、斧、刀、フォーク等の図柄を施すことによって、これらの道具が斜めに刺さっている様子を立体的に表示することができる。この点、道具が垂直に刺さっている場合に比べ、自然な印象を与えることができる（図５参照）。
【００２５】
ここで、本実施形態の伝言メモ１を使用する際の手順について説明する。
まず、伝言の内容を第一内面１１０の第一伝言欄１３０や第二内面１２０の第二伝言欄１４０に記入する。
次に、図３に示すように、開いた状態の伝言メモ１を内側面を表に向け、ナイフの図柄が描かれた突設部６０を、折線９０に沿って谷折りに折り曲げる。
続いて、突設部６０の開放端（ナイフの柄の先端部）を切欠き７０に差し込みつつ、第一用紙部１０１と第二用紙部１０２が重なるように二つ折りにする。
この結果、図４に示すように、伝言メモ１は、二つ折りされた状態において、ナイフの図柄が施された突設部６０が、表表紙面１０上に起立して切欠き７０に係合する。
表表紙面１０の宛先欄４０には、伝言メモ１を受け渡す相手の氏名等を記入する。
【００２６】
このようにして作成した伝言メモ１を、例えば、伝言を受け渡す相手が不在の場合には、その不在相手のデスク上に置く。
このようにすると、不在の相手が自身のデスクに戻ったときに、デスク上に伝言メモ１が置かれていることを、その立体的で斬新なデザインによる視覚効果によって、すぐに認識することができる。
また、伝言メモ１は二つ折りにされ、さらに、突設部６０と切欠き７０により係合して使用されるため、デスクに置かれている間、伝言内容を第三者から視認されることを防ぐことができる。
【００２７】
［他の実施形態］
次に、本考案の他の実施形態に係る伝言メモ１ａについて説明する。
本実施形態に係る伝言メモ１ａは、前述の実施形態と比較して、二つ折りにしたり、突設部を切欠きに差し込んで係合するといった、主な構成は共通する。
しかしながら、本実施形態の伝言メモ１ａは、複数の突設部（第一突設部６１ａ，第二突設部６２ａ）とこれに対応して複数の切欠き（第一切欠き７１ａ，第二切欠き７２ａ）を備える点で相違する。
以下、このように突設部と切欠きを二組以上備えた本実施形態の伝言メモ１ａの特徴について、図６〜図８を参照しながら説明する。
なお、前述した実施形態と共通する部分については、適宜、説明を省略する。
【００２８】
図６は、本実施形態に係る伝言メモの表紙面を示す図である。
図７は、本実施形態に係る伝言メモの内側面を示す図である。
図８は、本実施形態に係る伝言メモを組み立てたときの状態を示す図である。
【００２９】
本実施形態の伝言メモ１ａは、図６又は図７に示すように、横長矩形状の用紙が、中央折線３０ａを介して第一用紙部１０１ａと第二用紙部１０２ａとに分かれて構成される。
表紙面は、図６に示すように、第一用紙部１０１ａにおける表表紙面１０ａと第二用紙部１０２ａにおける裏表紙面２０ａとからなる。
内側面は、図７に示すように、第一用紙部１０１ａにおける第一内面１１０ａと第二用紙部１０２ａにおける第二内面１２０ａとからなる。
第一用紙部１０１ａの表表紙面１０ａには、宛先欄４０ａを設け、第一用紙部１０１ａの内側面（第一内面１１０ａ）には、伝言欄１３０ａを設けるようにしてある。
【００３０】
本実施形態の伝言メモ１ａは、このような二つ折りの構成に加え、複数の突設部とこれに対応した複数の切欠きを備える。
具体的には、第二用紙部１０２ａには、所定領域を折り曲げ可能に切り込み８０ａを施した第一突設部６１ａと第二突設部６２ａを備えると共に、第一突設部６１ａ及び第二突設部６２ａに対応する位置に第一切欠き７１ａ及び第二切欠き７２ａを備える。
第一突設部６１ａ及び第二突設部６２ａを折り曲げ、それぞれ第一切欠き７１ａ及び第二切欠き７２ａに差し込みながら、二つ折りすることによって、第一突設部６１ａ及び第二突設部６２ａが第一切欠き７１ａ及び第二切欠き７２ａと係合して起立するようになっている。
【００３１】
第一突設部６１ａ及び第二突設部６２ａは、第二用紙部１０２ａのそれぞれの所定領域に切り込み８０ａを施すことで折り曲げ可能に形成される。
すなわち、図６〜図７に示すように、山の図柄が描かれた第一突設部６１ａについて、第一折線９１ａ以外の周縁に切り込み８０ａを施すことによって、第一折線９１ａの辺だけが第二用紙部１０２ａとつながるようにしているため、第一折線９１ａに沿って第一突設部６１ａを折り曲げることで、山の図柄を起立させて表示することができる。
また、象の図柄が描かれた第二突設部６２ａについて、第二折線９２ａ以外の周縁に切り込み８０ａを施すことによって、第二折線９２ａの辺だけが第二用紙部１０２ａとつながるようにしているため、第二折線９２ａに沿って第二突設部６２ａを折り曲げることで、象の図柄を起立させて表示することができる。
したがって、本実施形態の伝言メモ１ａによれば、複数の突設部に施された様々な図柄によって、立体的な視覚効果を与えることができる（図８参照）。
【００３２】
第一切欠き７１ａは、第一用紙部１０１ａにおいて、第一突設部６１ａ（第一折線９１ａ）の位置に対応して施されたスリット状の孔であり、第二切欠き７２ａは、第一用紙部１０１ａにおいて、第二突設部６２ａ（第二折線９２ａ）の位置に対応して施されたスリット状の孔である。
具体的には、図６又は図７に示すように、用紙全体を開いた状態において、第一折線９１ａ及び第二折線９２ａと第一切欠き７１ａ及び第二切欠き７２ａが中央折線３０ａを対称軸として線対称に施すようにすることで、閉じた状態において、これらが重なるようにしてある。
【００３３】
このような構成によれば、伝言メモ１ａを中央折線３０ａに沿って二つ折りを行うに当たり、第一突設部６１ａ及び第二突設部６２ａを折り曲げて第一切欠き７１ａ及び第二切欠き７２ａに差し込むことによって、二つ折りされた状態で、第一突設部６１ａ及び第二突設部６２ａが第一切欠き７１ａ及び第二切欠き７２ａに係合して封止される。
このため、伝言欄１３０ａに記載された伝言の内容を見る場合、単に伝言メモ１を開くだけでなく、第一突設部６１ａ及び第二突設部６２ａをそれぞれ第一切欠き７１ａ及び第二切欠き７２ａから外しながら行う手間が必要となる。
したがって、前述の実施形態に比べ、伝言内容をより視認しづらくすることができる。
【００３４】
また、第一突設部６１ａ及び第二突設部６２ａは、二つ折りにした状態で、それぞれが表表紙面１０ａ上に起立するようになっている。
このため、複数の突設部による立体的な視覚効果によって、伝言メモ１ａの存在をより効果的に知らせることができる。
例えば、図８に示すように、本実施形態の伝言メモ１ａを二つ折りにして組み立てた場合、山の図柄が描かれた第一突設部６１ａと象の図柄が描かれた第二突設部６２ａを、それぞれ表表紙面１０ａ上に起立させることができる。
したがって、このような立体的なデザインの組み合わせによって、伝言メモ１ａを、より人の目に付き易くすることができる。
【００３５】
ここで、第二突設部６２ａについては、切り込み８０ａが施されることによって形成される所定領域（象の図柄）が第二用紙部１０２の領域内に施されている。
このように、第二用紙部１０２ａ内の「所定領域」だけで第一突設部６１ａを形成する場合、第二用紙部１０２ａの用紙を領域の周縁を切り抜くだけで済む。このため、第一突設部６１ａのように、第二用紙部１０２の範囲を超えて形成する場合に比べ、生産の手間やコストを抑えることができる。
【００３６】
また、これらの折線及び切欠きは、中央折線３０ａに対し直角方向に施されるようにしてある。
このようにすると、突設部を起立した状態において、図柄が正面を向くため、前述の実施形態のように、突設部の図柄が斜めに向く場合と比べ、外観の印象を変えることができる。
【００３７】
以上、本考案の伝言メモ１について、複数の実施形態を示して説明したが、本考案に係る伝言メモ１は、上述した実施形態に限定されるものではなく、本考案の範囲内において、種々の変更実施が可能であることは言うまでもない。
例えば、第二用紙部１０２における切り込み８０の部分は、切り目やミシン目等を施しておき、使用時に、利用者が切り離すようにすることができる。
また、突設部や切欠き周辺の図柄としては、突き刺す用途で用いられる他の道具やその道具によって刺される物などを含む、その他様々なモチーフを用いることもできる。
【産業上の利用可能性】
【００３８】
本考案は、伝言があることを確実に知らせたい場合や、第三者に知られたくない内容を伝言する場合の伝言メモとして好適に利用することが可能である。
【符号の説明】
【００３９】
１  伝言メモ
１０  表表紙面
２０  裏表紙面
３０  中央折線
４０  宛先欄
６０  突設部
６１  第一突設部
６２  第二突設部
７０  切欠き
７１  第一切欠き
７２  第二切欠き
８０  切り込み
９０  折線
９１  第一折線
９２  第二折線
１０１  第一用紙部
１０２  第二用紙部
１１０  第一内面
１２０  第二内面
１３０  第一伝言欄
１４０  第二伝言欄
【図１】
0003190527.tif 000003
【図２】
0003190527.tif 000004
【図３】
0003190527.tif 000005
【図４】
0003190527.tif 000006
【図５】
0003190527.tif 000007
【図６】
0003190527.tif 000008
【図７】
0003190527.tif 000009
【図８】
0003190527.tif 000010